(57)【要約】【課題】情報収集による負荷を軽減しつつ、特定のエリアにおいてより確実に情報収集を行うこと。【解決手段】携帯端末１は、第１エリア情報と第２エリア情報とを記憶するエリア情報記憶部１０と、通常モードに設定されている場合は第１頻度で、集中計測モードに設定されている場合は第２頻度で携帯端末１の位置情報を取得する位置情報取得部１１と、位置情報と第１エリア情報とに基づいて携帯端末１が第１エリアに存在するかを判定する第１エリア判定部１２と、存在すると判定された場合に集中計測モードに設定し、存在しないと判定された場合に通常モードに設定する動作モード設定部１４と、位置情報と第２エリア情報とに基づいて携帯端末１が第２エリアに存在するかを判定する第２エリア判定部１３と、存在すると判定された場合に現在位置に基づく情報収集を行う情報収集部１６と、を備える。【選択図】図４
2015097327.tif 000002
【特許請求の範囲】
【請求項１】
通常モードと集中計測モードとを含む動作モードを有する携帯端末であって、
第１エリアの範囲を示す第１エリア情報と、第１エリアに含まれる第２エリアの範囲を示す第２エリア情報とを記憶するエリア情報記憶手段と、
動作モードが通常モードに設定されている場合は、第１頻度で自端末の位置情報を取得し、動作モードが集中計測モードに設定されている場合は、第１頻度よりも高頻度である第２頻度で自端末の位置情報を取得する位置情報取得手段と、
前記位置情報取得手段によって取得された位置情報と前記エリア情報記憶手段によって記憶された第１エリア情報とに基づいて、自端末が第１エリアに存在するか否かを判定する第１エリア判定手段と、
前記第１エリア判定手段によって自端末が第１エリアに存在すると判定された場合に、動作モードを集中計測モードに設定し、前記第１エリア判定手段によって自端末が第１エリアに存在しないと判定された場合に、動作モードを通常モードに設定する動作モード設定手段と、
前記位置情報取得手段によって取得された位置情報と前記エリア情報記憶手段によって記憶された第２エリア情報とに基づいて、自端末が第２エリアに存在するか否かを判定する第２エリア判定手段と、
前記第２エリア判定手段によって自端末が第２エリアに存在すると判定された場合に、現在位置に基づく情報収集を行う情報収集手段と、
を備える携帯端末。
【請求項２】
動作モードが集中計測モードに設定されている場合に、集中計測モードに設定されてからの経過時間と、集中計測モードに設定されてからの前記情報収集手段による情報収集の回数との何れか一つ以上に基づいて、集中計測モードを継続するか否かを判定する動作モード継続判定手段をさらに備え、
前記動作モード設定手段は、さらに、前記動作モード継続判定手段によって集中計測モードを継続しないと判定された場合に、動作モードを通常モードに設定する、
請求項１に記載の携帯端末。
【請求項３】
サーバと、通常モードと集中計測モードとを含む動作モードを有する携帯端末とを含む情報収集システムであって、
前記サーバは、
第１エリアの範囲を示す第１エリア情報と、第１エリアに含まれる第２エリアの範囲を示す第２エリア情報とを記憶するエリア情報記憶手段と、
前記携帯端末から位置情報を受信する位置情報受信手段と、
前記位置情報受信手段によって受信された前記携帯端末の位置情報と前記エリア情報記憶手段によって記憶された第１エリア情報とに基づいて、当該携帯端末が第１エリアに存在するか否かを判定する第１エリア判定手段と、
前記位置情報受信手段によって受信された前記携帯端末の位置情報と前記エリア情報記憶手段によって記憶された第２エリア情報とに基づいて、当該携帯端末が第２エリアに存在するか否かを判定する第２エリア判定手段と、
前記携帯端末に指示情報を送信する指示情報送信手段と、
を備え、
前記指示情報送信手段は、前記第１エリア判定手段によって前記携帯端末が第１エリアに存在すると判定された場合に、動作モードを集中計測モードに設定する指示情報を当該携帯端末に送信し、前記第１エリア判定手段によって前記携帯端末が第１エリアに存在しないと判定された場合に、動作モードを通常モードに設定する指示情報を当該携帯端末に送信し、
前記指示情報送信手段は、前記第２エリア判定手段によって前記携帯端末が第２エリアに存在すると判定された場合に、現在位置に基づく情報収集を行う指示情報を当該携帯端末に送信し、
前記携帯端末は、
動作モードが通常モードに設定されている場合は、第１頻度で自端末の位置情報を取得し、動作モードが集中計測モードに設定されている場合は、第１頻度よりも高頻度である第２頻度で自端末の位置情報を取得する位置情報取得手段と、
前記サーバに前記位置情報取得手段によって取得された位置情報を送信する位置情報送信手段と、
前記サーバから指示情報を受信する指示情報受信手段と、
前記指示情報受信手段によって動作モードの設定に関する指示情報が受信された場合に、当該指示情報に基づいて動作モードを設定する動作モード設定手段と、
前記指示情報受信手段によって情報収集に関する指示情報が受信された場合に、当該指示情報に基づいて情報収集を行う情報収集手段と、
を備える情報収集システム。
【請求項４】
前記サーバは、
前記携帯端末の動作モードが集中計測モードに設定されている場合に、当該携帯端末が集中計測モードに設定されてからの経過時間と、当該携帯端末が集中計測モードに設定されてからの当該携帯端末の情報収集の回数との何れか一つ以上に基づいて、当該携帯端末の集中計測モードを継続するか否かを判定する動作モード継続判定手段をさらに備え、
前記指示情報送信手段は、前記動作モード継続判定手段によって前記携帯端末の集中計測モードを継続しないと判定された場合に、動作モードを通常モードに設定する旨の指示情報を当該携帯端末に送信する、
請求項３に記載の情報収集システム。
【請求項５】
通常モードと集中計測モードとを含む動作モードを有する携帯端末であって、第１エリアの範囲を示す第１エリア情報と第１エリアに含まれる第２エリアの範囲を示す第２エリア情報とを記憶するエリア情報記憶手段と、動作モードが通常モードに設定されている場合は第１頻度で自端末の位置情報を取得し、動作モードが集中計測モードに設定されている場合は第１頻度よりも高頻度である第２頻度で自端末の位置情報を取得する位置情報取得手段とを備える携帯端末により実行される情報収集方法であって、
前記位置情報取得手段によって取得された位置情報と前記エリア情報記憶手段によって記憶された第１エリア情報とに基づいて、自端末が第１エリアに存在するか否かを判定する第１エリア判定ステップと、
前記第１エリア判定ステップにおいて自端末が第１エリアに存在すると判定された場合に、動作モードを集中計測モードに設定し、前記第１エリア判定ステップにおいて自端末が第１エリアに存在しないと判定された場合に、動作モードを通常モードに設定する動作モード設定ステップと、
前記位置情報取得手段によって取得された位置情報と前記エリア情報記憶手段によって記憶された第２エリア情報とに基づいて、自端末が第２エリアに存在するか否かを判定する第２エリア判定ステップと、
前記第２エリア判定ステップにおいて自端末が第２エリアに存在すると判定された場合に、現在位置に基づく情報収集を行う情報収集ステップと、
を含む情報収集方法。
【請求項６】
第１エリアの範囲を示す第１エリア情報と第１エリアに含まれる第２エリアの範囲を示す第２エリア情報とを記憶するエリア情報記憶手段を備えるサーバと、通常モードと集中計測モードとを含む動作モードを有する携帯端末であって、動作モードが通常モードに設定されている場合は第１頻度で自端末の位置情報を取得し、動作モードが集中計測モードに設定されている場合は第１頻度よりも高頻度である第２頻度で自端末の位置情報を取得する位置情報取得手段を備える携帯端末とを含む情報収集システムにより実行される情報収集方法であって、
前記携帯端末が、前記サーバに前記位置情報取得手段によって取得された位置情報を送信する位置情報送信ステップと、
前記サーバが、前記携帯端末から位置情報を受信する位置情報受信ステップと、
前記サーバが、前記位置情報受信ステップにおいて受信された前記携帯端末の位置情報と前記エリア情報記憶手段によって記憶された第１エリア情報とに基づいて、当該携帯端末が第１エリアに存在するか否かを判定する第１エリア判定ステップと、
前記サーバが、前記位置情報受信ステップにおいて受信された前記携帯端末の位置情報と前記エリア情報記憶手段によって記憶された第２エリア情報とに基づいて、当該携帯端末が第２エリアに存在するか否かを判定する第２エリア判定ステップと、
前記サーバが、前記携帯端末に指示情報を送信する指示情報送信ステップと、
前記携帯端末が、前記サーバから指示情報を受信する指示情報受信ステップと、
前記携帯端末が、前記指示情報受信ステップにおいて動作モードの設定に関する指示情報が受信された場合に、当該指示情報に基づいて動作モードを設定する動作モード設定ステップと、
前記携帯端末が、前記指示情報受信ステップにおいて情報収集に関する指示情報が受信された場合に、当該指示情報に基づいて情報収集を行う情報収集ステップと、
を含み、
前記指示情報送信ステップは、前記第１エリア判定ステップにおいて前記携帯端末が第１エリアに存在すると判定された場合に、動作モードを集中計測モードに設定する指示情報を当該携帯端末に送信し、前記第１エリア判定ステップにおいて前記携帯端末が第１エリアに存在しないと判定された場合に、動作モードを通常モードに設定する指示情報を当該携帯端末に送信し、
前記指示情報送信ステップは、前記第２エリア判定ステップにおいて前記携帯端末が第２エリアに存在すると判定された場合に、現在位置に基づく情報収集を行う指示情報を当該携帯端末に送信する、
情報収集方法。
【発明の詳細な説明】
【技術分野】
【０００１】
本発明は、携帯端末、情報収集システム及び情報収集方法に関する。
【背景技術】
【０００２】
従来、複数の携帯端末の各々が収集した現在位置に基づく情報を、各携帯端末から取得し、分析するシステムが知られている。例えば、下記特許文献１では、携帯電話端末にて一定の周期にて記録した無線通信品質を取得し、分析する分析サーバが開示されている。
【先行技術文献】
【特許文献】
【０００３】
【特許文献１】特開２０１２−１５９５０号公報
【発明の概要】
【発明が解決しようとする課題】
【０００４】
上記のようなシステムを用いて、特定のエリアの収集情報を充実させたい場合や、特定のエリアについてより確実に情報収集を行いたい場合、各携帯端末による情報収集の頻度を上げる必要がある。各携帯端末による情報収集の頻度を上げると、特定のエリア（を含む全エリア）の収集情報の数は向上するが、電池の消耗等、携帯端末全体の負荷が増大するという問題が発生する。
【０００５】
そこで、本発明は、かかる課題に鑑みて為されたものであり、情報収集による負荷を軽減しつつ、特定のエリアにおいてより確実に情報収集を行うことができる携帯端末、情報収集システム及び情報収集方法を提供することを目的とする。
【課題を解決するための手段】
【０００６】
上記課題を解決するため、本発明の携帯端末は、通常モードと集中計測モードとを含む動作モードを有する携帯端末であって、第１エリアの範囲を示す第１エリア情報と、第１エリアに含まれる第２エリアの範囲を示す第２エリア情報とを記憶するエリア情報記憶手段と、動作モードが通常モードに設定されている場合は、第１頻度で自端末の位置情報を取得し、動作モードが集中計測モードに設定されている場合は、第１頻度よりも高頻度である第２頻度で自端末の位置情報を取得する位置情報取得手段と、位置情報取得手段によって取得された位置情報とエリア情報記憶手段によって記憶された第１エリア情報とに基づいて、自端末が第１エリアに存在するか否かを判定する第１エリア判定手段と、第１エリア判定手段によって自端末が第１エリアに存在すると判定された場合に、動作モードを集中計測モードに設定し、第１エリア判定手段によって自端末が第１エリアに存在しないと判定された場合に、動作モードを通常モードに設定する動作モード設定手段と、位置情報取得手段によって取得された位置情報とエリア情報記憶手段によって記憶された第２エリア情報とに基づいて、自端末が第２エリアに存在するか否かを判定する第２エリア判定手段と、第２エリア判定手段によって自端末が第２エリアに存在すると判定された場合に、通信に関する情報収集を行う情報収集手段と、を備える。
【０００７】
このような携帯端末によれば、動作モード設定手段により、第１エリア判定手段によって自端末が第１エリアに存在しないと判定された場合に動作モードが通常モードに設定される。そして位置情報取得手段により、動作モードが通常モードに設定されている場合は第１頻度で自端末の位置情報が取得される。一方、動作モード設定手段により、第１エリア判定手段によって自端末が第１エリアに存在すると判定された場合に、動作モードが集中計測モードに設定される。そして位置情報取得手段により、動作モードが集中計測モードに設定されている場合は第１頻度よりも高頻度である第２頻度で自端末の位置情報が取得される。例えば、情報収集をより確実に行いたい特定のエリアを第２エリアとする。その場合、第２エリアは第１エリアに含まれているため、第１エリアは特定のエリア及び特定のエリア付近を含むエリア（以降、特定のエリア付近と呼ぶ）となる。上記構成を採れば、携帯端末は、自端末が特定のエリア付近に存在する場合は、特定のエリア付近に存在しない場合に比べて高頻度で位置情報を取得するため、より早く、より確実に自端末が特定のエリアに存在するか否かを判定することができる。また、携帯端末は、自端末が特定のエリア付近に存在しない場合は、特定のエリア付近に存在する場合に比べて低頻度で位置情報を取得するため、特定のエリアから離れた場所に存在する等の場合は、位置情報の取得に伴う負荷を軽減することができる。
【０００８】
また、このような携帯端末によれば、情報収集手段により、第２エリア判定手段によって自端末が第２エリアに存在すると判定された場合に現在位置に基づく情報収集が行われる。このように、携帯端末が特定のエリアに存在すると判定された場合に情報収集が行われるため、情報収集による負荷を軽減しつつ、特定のエリアにおいてより確実に情報収集を行うことができる。
【０００９】
また、本発明の携帯端末において、動作モードが集中計測モードに設定されている場合に、集中計測モードに設定されてからの経過時間と、集中計測モードに設定されてからの情報収集手段による情報収集の回数との何れか一つ以上に基づいて、集中計測モードを継続するか否かを判定する動作モード継続判定手段をさらに備え、動作モード設定手段は、さらに、動作モード継続判定手段によって集中計測モードを継続しないと判定された場合に、動作モードを通常モードに設定することが好ましい。かかる構成を採れば、集中計測モードに設定される期間を抑えることができるため、例えば、高頻度な位置情報の取得に伴う負荷を軽減することができる。
【００１０】
また、上記課題を解決するため、本発明の情報収集システムは、サーバと、通常モードと集中計測モードとを含む動作モードを有する携帯端末とを含む情報収集システムであって、サーバは、第１エリアの範囲を示す第１エリア情報と、第１エリアに含まれる第２エリアの範囲を示す第２エリア情報とを記憶するエリア情報記憶手段と、携帯端末から位置情報を受信する位置情報受信手段と、位置情報受信手段によって受信された携帯端末の位置情報とエリア情報記憶手段によって記憶された第１エリア情報とに基づいて、当該携帯端末が第１エリアに存在するか否かを判定する第１エリア判定手段と、位置情報受信手段によって受信された携帯端末の位置情報とエリア情報記憶手段によって記憶された第２エリア情報とに基づいて、当該携帯端末が第２エリアに存在するか否かを判定する第２エリア判定手段と、携帯端末に指示情報を送信する指示情報送信手段と、を備え、指示情報送信手段は、第１エリア判定手段によって携帯端末が第１エリアに存在すると判定された場合に、動作モードを集中計測モードに設定する指示情報を当該携帯端末に送信し、第１エリア判定手段によって携帯端末が第１エリアに存在しないと判定された場合に、動作モードを通常モードに設定する指示情報を当該携帯端末に送信し、指示情報送信手段は、第２エリア判定手段によって携帯端末が第２エリアに存在すると判定された場合に、現在位置に基づく情報収集を行う指示情報を当該携帯端末に送信し、携帯端末は、動作モードが通常モードに設定されている場合は、第１頻度で自端末の位置情報を取得し、動作モードが集中計測モードに設定されている場合は、第１頻度よりも高頻度である第２頻度で自端末の位置情報を取得する位置情報取得手段と、サーバに位置情報取得手段によって取得された位置情報を送信する位置情報送信手段と、サーバから指示情報を受信する指示情報受信手段と、指示情報受信手段によって動作モードの設定に関する指示情報が受信された場合に、当該指示情報に基づいて動作モードを設定する動作モード設定手段と、指示情報受信手段によって情報収集に関する指示情報が受信された場合に、当該指示情報に基づいて情報収集を行う情報収集手段と、を備える。
【００１１】
このような情報収集システムによれば、携帯端末の動作モード設定手段により、サーバの第１エリア判定手段によって自端末が第１エリアに存在しないと判定された場合に動作モードが通常モードに設定される。そして携帯端末の位置情報取得手段により、動作モードが通常モードに設定されている場合は第１頻度で自端末の位置情報が取得される。一方、携帯端末の動作モード設定手段により、サーバの第１エリア判定手段によって自端末が第１エリアに存在すると判定された場合に、動作モードが集中計測モードに設定される。そして携帯端末の位置情報取得手段により、動作モードが集中計測モードに設定されている場合は第１頻度よりも高頻度である第２頻度で自端末の位置情報が取得される。上記構成を採れば、携帯端末は、自端末が特定のエリア付近に存在する場合は、特定のエリア付近に存在しない場合に比べて高頻度で位置情報を取得するため、より早く、より確実に自端末が特定のエリアに存在するか否かを判定することができる。また、携帯端末は、自端末が特定のエリア付近に存在しない場合は、特定のエリア付近に存在する場合に比べて低頻度で位置情報を取得するため、特定のエリアから離れた場所に存在する等の場合は、位置情報の取得に伴う負荷を軽減することができる。
【００１２】
また、このような情報収集システムによれば、携帯端末の情報収集手段により、サーバの第２エリア判定手段によって自端末が第２エリアに存在すると判定された場合に現在位置に基づく情報収集が行われる。このように、携帯端末が特定のエリアに存在すると判定された場合に情報収集が行われるため、情報収集による負荷を軽減しつつ、特定のエリアにおいてより確実に情報収集を行うことができる。
【００１３】
また、このような情報収集システムによれば、エリア情報記憶手段はサーバ側に備えられるため、携帯端末の空きメモリ量がより増える。また、第１エリア判定手段及び第２エリア判定手段はサーバ側に備えられるため、携帯端末における判定処理に伴う負荷を軽減することができる。
【００１４】
また、本発明の情報収集システムにおいて、サーバは、携帯端末の動作モードが集中計測モードに設定されている場合に、当該携帯端末が集中計測モードに設定されてからの経過時間と、当該携帯端末が集中計測モードに設定されてからの当該携帯端末の情報収集の回数との何れか一つ以上に基づいて、当該携帯端末の集中計測モードを継続するか否かを判定する動作モード継続判定手段をさらに備え、指示情報送信手段は、動作モード継続判定手段によって携帯端末の集中計測モードを継続しないと判定された場合に、動作モードを通常モードに設定する旨の指示情報を当該携帯端末に送信することが好ましい。かかる構成を採れば、携帯端末が集中計測モードに設定される期間を抑えることができるため、例えば、携帯端末の高頻度な位置情報の取得に伴う負荷を軽減することができる。
【００１５】
ところで、本発明は、上記のように携帯端末及び情報収集システムの発明として記述できる他に、以下のようにそれぞれ情報収集方法の発明としても記述することができる。これはカテゴリが異なるだけで、実質的に同一の発明であり、同様の作用及び効果を奏する。
【００１６】
即ち、本発明に係る情報収集方法は、通常モードと集中計測モードとを含む動作モードを有する携帯端末であって、第１エリアの範囲を示す第１エリア情報と第１エリアに含まれる第２エリアの範囲を示す第２エリア情報とを記憶するエリア情報記憶手段と、動作モードが通常モードに設定されている場合は第１頻度で自端末の位置情報を取得し、動作モードが集中計測モードに設定されている場合は第１頻度よりも高頻度である第２頻度で自端末の位置情報を取得する位置情報取得手段とを備える携帯端末により実行される情報収集方法であって、位置情報取得手段によって取得された位置情報とエリア情報記憶手段によって記憶された第１エリア情報とに基づいて、自端末が第１エリアに存在するか否かを判定する第１エリア判定ステップと、第１エリア判定ステップにおいて自端末が第１エリアに存在すると判定された場合に、動作モードを集中計測モードに設定し、第１エリア判定ステップにおいて自端末が第１エリアに存在しないと判定された場合に、動作モードを通常モードに設定する動作モード設定ステップと、位置情報取得手段によって取得された位置情報とエリア情報記憶手段によって記憶された第２エリア情報とに基づいて、自端末が第２エリアに存在するか否かを判定する第２エリア判定ステップと、第２エリア判定ステップにおいて自端末が第２エリアに存在すると判定された場合に、現在位置に基づく情報収集を行う情報収集ステップと、を含む。
【００１７】
また、本発明に係る情報収集方法は、第１エリアの範囲を示す第１エリア情報と第１エリアに含まれる第２エリアの範囲を示す第２エリア情報とを記憶するエリア情報記憶手段を備えるサーバと、通常モードと集中計測モードとを含む動作モードを有する携帯端末であって、動作モードが通常モードに設定されている場合は第１頻度で自端末の位置情報を取得し、動作モードが集中計測モードに設定されている場合は第１頻度よりも高頻度である第２頻度で自端末の位置情報を取得する位置情報取得手段を備える携帯端末とを含む情報収集システムにより実行される情報収集方法であって、携帯端末が、サーバに位置情報取得手段によって取得された位置情報を送信する位置情報送信ステップと、サーバが、携帯端末から位置情報を受信する位置情報受信ステップと、サーバが、位置情報受信ステップにおいて受信された携帯端末の位置情報とエリア情報記憶手段によって記憶された第１エリア情報とに基づいて、当該携帯端末が第１エリアに存在するか否かを判定する第１エリア判定ステップと、サーバが、位置情報受信ステップにおいて受信された携帯端末の位置情報とエリア情報記憶手段によって記憶された第２エリア情報とに基づいて、当該携帯端末が第２エリアに存在するか否かを判定する第２エリア判定ステップと、サーバが、携帯端末に指示情報を送信する指示情報送信ステップと、携帯端末が、サーバから指示情報を受信する指示情報受信ステップと、携帯端末が、指示情報受信ステップにおいて動作モードの設定に関する指示情報が受信された場合に、当該指示情報に基づいて動作モードを設定する動作モード設定ステップと、携帯端末が、指示情報受信ステップにおいて情報収集に関する指示情報が受信された場合に、当該指示情報に基づいて情報収集を行う情報収集ステップと、を含み、指示情報送信ステップは、第１エリア判定ステップにおいて携帯端末が第１エリアに存在すると判定された場合に、動作モードを集中計測モードに設定する指示情報を当該携帯端末に送信し、第１エリア判定ステップにおいて携帯端末が第１エリアに存在しないと判定された場合に、動作モードを通常モードに設定する指示情報を当該携帯端末に送信し、指示情報送信ステップは、第２エリア判定ステップにおいて携帯端末が第２エリアに存在すると判定された場合に、現在位置に基づく情報収集を行う指示情報を当該携帯端末に送信する。
【発明の効果】
【００１８】
本発明によれば、情報収集による負荷を軽減しつつ、特定のエリアにおいてより確実に情報収集を行うことができる。
【図面の簡単な説明】
【００１９】
【図１】本発明の実施形態に係る情報収集システムのシステム構成図である。
【図２】本発明の実施形態に係る携帯端末のハードウェア構成を示す図である。
【図３】本発明の実施形態に係るサーバのハードウェア構成を示す図である。
【図４】本発明の第１実施形態に係る携帯端末の機能ブロック図である。
【図５】第１エリア情報及び第２エリア情報のテーブル例を示す図である。
【図６】第１エリア及び第２エリアのエリア例を示す図である。
【図７】第１エリア情報及び第２エリア情報の別のテーブル例を示す図である。
【図８】第１エリア及び第２エリアの別のエリア例を示す図である。
【図９】本発明の実施形態に係る携帯端末の第１エリア及び第２エリア上での軌跡を示す図である。
【図１０】本発明の第１実施形態に係る携帯端末で実行される、通常モード時の処理（情報収集方法）を示すフローチャートである。
【図１１】本発明の第１実施形態に係る携帯端末で実行される、集中計測モード時の処理（情報収集方法）を示すフローチャートである。
【図１２】本発明の第１実施形態に係る携帯端末で実行される、集中計測モード時の別の処理（情報収集方法）を示すフローチャートである。
【図１３】本発明の第２実施形態に係る情報収集システムの機能ブロック図である。
【図１４】本発明の第２実施形態に係る情報収集システムで実行される処理（情報収集方法）を示すシーケンス図である。
【発明を実施するための形態】
【００２０】
以下、図面とともに本発明による携帯端末、情報収集システム及び情報収集方法の好適な実施形態について詳細に説明する。なお、図面の説明においては同一要素には同一符号を付し、重複する説明を省略する。
【００２１】
図１は、本発明の実施形態に係る情報収集システム３のシステム構成図である。図１に示すとおり、情報収集システム３は、一つ以上の携帯端末１と、サーバ２とを含んで構成される。携帯端末１とサーバ２とは移動体通信網を介して互いに無線接続されている。情報収集システム３は、一つ以上の携帯端末１（測定端末）を用いて、定期的に測定を行っている大規模測定システムである。
【００２２】
携帯端末１は、スマートフォン等である。携帯端末１は、定期的に、現在位置に基づく情報を収集（測定）してサーバ２に送信する。具体的に、携帯端末１は、ＲＳＳＩ（Received  Signal  Strength  Indicator）、ＲＳＲＰ（Reference  Signal  Received  Power）及びＲＳＲＱ（Reference  Signal  Received  Quality）等の電波品質情報を収集する。また、携帯端末１は、移動体通信のスループット測定を収集する。スループット測定は、測定用サーバから所定のファイル容量（例えば５ＭＢ）のファイルをダウンロードする時間から算出してもよいし、一定時間毎の通信量を取得し、算出してもよい。また、携帯端末１は、ＬＴＥ（Long  Term  Evolution）及びＨＳＤＰＡ（High  Speed  Downlink  Packet  Access）等の接続しているネットワーク情報を収集してもよい。
【００２３】
携帯端末１は、ＣＰＵ等のハードウェアから構成されているものである。図２は、携帯端末１のハードウェア構成の一例を示す図である。図１に示される携帯端末１は、物理的には、図２に示すように、ＣＰＵ１００、主記憶装置であるＲＡＭ１０１及びＲＯＭ１０２、ディスプレイ等の入出力装置１０３、通信モジュール１０４、補助記憶装置１０５、ＧＰＳ（Global  Positioning  System）１０６などを含むコンピュータシステムとして構成されている。
【００２４】
サーバ２は、一般的なサーバ装置等である。サーバ２は、複数の携帯端末１から当該位置に基づく収集情報を定期的に受信し、エリアごとの収集情報を管理及び活用する。以降で説明するサーバ２は、複数の携帯端末１の全体的な負荷及び負担を軽減しつつ、特定（希望）のエリアの収集情報の収集頻度を向上させ、該当エリアにおける収集情報を充実させることを目的とする。
【００２５】
サーバ２は、ＣＰＵ等のハードウェアから構成されているものである。図３は、サーバ２のハードウェア構成の一例を示す図である。図１に示されるサーバ２は、物理的には、図３に示すように、ＣＰＵ２００、主記憶装置であるＲＡＭ２０１及びＲＯＭ２０２、ディスプレイ等の入出力装置２０３、通信モジュール２０４、及び補助記憶装置２０５などを含むコンピュータシステムとして構成されている。
【００２６】
［第１実施形態］
図４は、本発明の第１実施形態に係る携帯端末１の機能ブロック図である。図４に示すとおり、携帯端末１は、エリア情報記憶部１０（エリア情報記憶手段）、位置情報取得部１１（位置情報取得手段）、第１エリア判定部１２（第１エリア判定手段）、第２エリア判定部１３（第２エリア判定手段）、動作モード設定部１４（動作モード設定手段）、動作モード継続判定部１５（動作モード継続判定手段）及び情報収集部１６（情報収集手段）を含んで構成される。
【００２７】
図４に示す携帯端末１の各機能ブロックの機能は、図２に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００２８】
以下、図４に示す携帯端末１の各機能ブロックについて説明する。
【００２９】
エリア情報記憶部１０は、第１エリアの範囲を示す第１エリア情報と、第１エリアに含まれる第２エリアの範囲を示す第２エリア情報とをデータベース等に記憶する。エリアとは所定の空間であり、２次元空間における所定の領域に対応する。以降の説明では、適宜、第１エリアを測定希望候補エリア、第１エリア情報を測定希望候補エリア情報、第２エリアを測定希望エリア、第２エリア情報を測定希望エリア情報、第１エリア情報と第２エリア情報とをまとめてエリア情報と呼ぶ。測定希望エリアとは、サーバ２（あるいはサーバ２の運営主体）が携帯端末１の収集情報の収集頻度を向上させたい特定のエリアである。測定希望候補エリアとは、測定希望エリアを含むエリア、すなわち測定希望エリア及び測定希望エリアの周辺のエリアを含むエリアである。
【００３０】
第１エリア情報及び第２エリア情報は、予めエリア情報記憶部１０によって記憶されていてもよいし、特定のタイミングでサーバ２から取得してエリア情報記憶部１０によって記憶されてもよい。具体的には、携帯端末１が、１日の定期時刻、ランダム時刻又は手動操作時等の特定のタイミングに、サーバ２にエリア情報の問い合わせを行い、その応答としてサーバ２からエリア情報を取得し、エリア情報記憶部１０によって携帯端末１内部に記憶（格納）する。
【００３１】
図５は、第１エリア情報及び第２エリア情報のテーブル例を示す図である。図５に示す通り、各エリア情報は、下限の緯度・経度及び上限の緯度・経度の４つの情報から構成される。各エリア情報が示すエリアの範囲は、下限の緯度・経度と上限の緯度・経度とが対角となる長方形領域である。
【００３２】
図６は、図５に示す第１エリア情報及び第２エリア情報のテーブル例に基づく、第１エリア及び第２エリアのエリア例を示す図である。図６において、領域Ｒ１の長方形領域が第１エリア、領域Ｒ２の長方形領域が第２エリアを示す。
【００３３】
図７は、第１エリア情報及び第２エリア情報の別のテーブル例を示す図である。図７に示す通り、各エリア情報は、中心の緯度・経度及び半径の３つの情報から構成されてもよい。各エリア情報が示すエリアの範囲は、緯度・経度を中心とした半径を持つ円領域である。なお、中心の緯度・経度を固定値とし、半径を設定可能としてもよいし、中心の緯度・経度を設定可能とし、半径を固定値としてもよい。
【００３４】
図８は、図７に示す第１エリア情報及び第２エリア情報のテーブル例に基づく、第１エリア及び第２エリアの別のエリア例を示す図である。図８において、領域Ｒ１の円領域が第１エリア、領域Ｒ２の円領域が第２エリアを示す。
【００３５】
位置情報取得部１１は、携帯端末１に設定されている動作モードに基づいて位置情報を取得する。ここで、携帯端末１が有する動作モードとして、通常モード及び集中計測モードを含む。具体的に、位置情報取得部１１は、動作モードが通常モードに設定されている場合は、第１頻度で携帯端末１の位置情報を取得し、動作モードが集中計測モードに設定されている場合は、第１頻度よりも高頻度である第２頻度で携帯端末１の位置情報を取得する。位置情報取得部１１は、取得した位置情報を、後述の第１エリア判定部１２及び第２エリア判定部１３に出力する。
【００３６】
ここで、位置情報とは、ＧＰＳによって取得される緯度や経度等の位置情報であるが、基地局ＩＤやセルＩＤ等の基地局情報であってもよいし、ＳＳＩＤ（Service  Set  Identifier）やＢＳＳＩＤ（Basic  Service  Set  Identifier）やアドレス等のＷｉＦｉ（登録商標）情報であってもよい。また、第１頻度とは例えば１０分間隔であり、第２頻度とは例えば１０分間隔である第１頻度よりも高頻度である１分間隔である。この場合、位置情報取得部１１は、通常モードに設定されている場合は１０分間隔で位置情報を取得し、集中計測モードに設定されている場合は１分間隔で位置情報を取得することで、集中計測モードに設定されている場合の方が位置情報の取得間隔が小さくなるため、より正確な現在位置の位置情報を取得することができるが、携帯端末１の電池の消耗がより大きくなる。
【００３７】
第１エリア判定部１２は、位置情報取得部１１によって取得された位置情報とエリア情報記憶部１０によって記憶された第１エリア情報とに基づいて、携帯端末１が第１エリアに存在するか否かを判定する。具体的に、第１エリア判定部１２は、位置情報取得部１１から入力された位置情報を取得し、エリア情報記憶部１０によって記憶された第１エリア情報を取得し、取得した位置情報に基づく位置（例えば緯度・経度）が、取得した第１エリア情報に基づく範囲（例えば図６に示すような領域Ｒ１）内にあるか否かを判定する。そして、第１エリア判定部１２は、判定結果を後述の動作モード設定部１４に出力する。なお、エリア判定を行う情報として、位置情報以外にも、上述の基地局情報やＷｉＦｉ（登録商標）情報等、位置の特定が可能な情報を利用してもよい。
【００３８】
第２エリア判定部１３は、位置情報取得部１１によって取得された位置情報とエリア情報記憶部１０によって記憶された第２エリア情報とに基づいて、携帯端末１が第２エリアに存在するか否かを判定する。具体的に、第２エリア判定部１３は、位置情報取得部１１から入力された位置情報を取得し、エリア情報記憶部１０によって記憶された第２エリア情報を取得し、取得した位置情報に基づく位置（例えば緯度・経度）が、取得した第２エリア情報に基づく範囲（例えば図６に示すような領域Ｒ２）内にあるか否かを判定する。そして、第２エリア判定部１３は、判定結果を後述の情報収集部１６に出力する。なお、エリア判定を行う情報として、位置情報以外にも、上述の基地局情報やＷｉＦｉ（登録商標）情報等、位置の特定が可能な情報を利用してもよい。
【００３９】
動作モード設定部１４は、第１エリア判定部１２によって携帯端末１が第１エリアに存在すると判定された場合に、動作モードを集中計測モードに設定し、第１エリア判定部１２によって携帯端末１が第１エリアに存在しないと判定された場合に、動作モードを通常モードに設定する。具体的に、動作モード設定部１４は、第１エリア判定部１２から入力された判定結果が、携帯端末１が第１エリアに存在する旨を示している場合に、動作モードを集中計測モードに設定し、第１エリア判定部１２から入力された判定結果が、携帯端末１が第１エリアに存在しない旨を示している場合に、動作モードを通常モードに設定する。なお、動作モードは携帯端末１のメモリ等に記憶される。
【００４０】
動作モード継続判定部１５は、動作モードが集中計測モードに設定されている場合に、集中計測モードに設定されてからの経過時間と、集中計測モードに設定されてからの後述の情報収集部１６による情報収集の回数との何れか一つ以上に基づいて、集中計測モードを継続するか否かを判定する。具体的に、動作モード継続判定部１５は、集中計測モードが前回設定された時刻を記憶しており、現在時刻までの経過時間が所定の時間（閾値）を越えている場合に、集中計測モードを継続しないと判定し、所定の時間を越えていない場合に、集中計測モードを継続すると判定する。また、動作モード継続判定部１５は、集中計測モードが前回設定されてからの情報収集部１６による情報収集の回数をカウントしており、情報収集の回数が所定の回数（閾値）を越えている場合に、集中計測モードを継続しないと判定し、所定の回数を越えていない場合に、集中計測モードを継続すると判定する。なお、動作モード継続判定部１５は、上述の経過時間と上述の情報収集の回数との２つの情報に基づいて集中計測モードを継続するか否かを判定してもよい。
【００４１】
動作モード継続判定部１５は、判定結果を動作モード設定部１４に出力する。動作モード継続判定部１５から判定結果を入力された動作モード設定部１４は、判定結果に基づいて動作モードを設定する。具体的に、動作モード設定部１４は、動作モード継続判定部１５から入力された判定結果が、集中計測モードを継続する旨を示している場合に、動作モードを変更せず（動作モードを集中計測モードに設定したままにし）、集中計測モードを継続しない旨を示している場合に、動作モードを通常モードに設定する。
【００４２】
情報収集部１６は、第２エリア判定部１３によって携帯端末１が第２エリアに存在すると判定された場合に、現在位置に基づく情報収集を行う。具体的に、情報収集部１６は、第２エリア判定部１３から入力された判定結果が、携帯端末１が第２エリアに存在する旨を示している場合に、電波品質情報を収集したり、移動体通信のスループット測定を収集したり、接続しているネットワーク情報を収集したりする。情報収集部１６は、さらに、収集した収集情報をサーバ２に送信する。なお、情報収集部１６は、第２エリア判定部１３によって携帯端末１が第２エリアに存在すると判定された場合以外にも、定期的に情報収集を行い、収集情報をサーバ２に送信してもよい。
【００４３】
続いて、図９を用いて、第１エリアである領域Ｒ１及び第２エリアである領域Ｒ２を通過する際の携帯端末１の挙動について説明する。図９は、携帯端末１の第１エリア及び第２エリア上での軌跡を示す図である。最初に、携帯端末１は位置Ａ１に位置し、この時点では動作モードは通常モードに設定されている。次に、携帯端末１が位置Ａ２に移動すると、領域Ｒ１に侵入したため、第１エリア判定部１２によって第１エリアに存在すると判定され、動作モード設定部１４によって動作モードが集中計測モードに設定される。それにより、携帯端末１による位置情報の取得頻度が高頻度となる。次に、携帯端末１が位置Ａ’１に移動すると、依然として領域Ｒ１に存在したままなので、情報収集部１６による情報収集は行われない。
【００４４】
次に、携帯端末１が位置Ａ’２に移動すると、領域Ｒ２に侵入したため、第２エリア判定部１３によって第２エリアに存在すると判定され、情報収集部１６によって情報収集が行われる。次に、携帯端末１が位置Ａ’３に移動すると、依然として領域Ｒ２に存在したままなので、情報収集部１６による情報収集が行われる。次に、携帯端末１が位置Ａ’４に移動すると、領域Ｒ２及び領域Ｒ１から離脱したため、第２エリア判定部１３によって第２エリアに存在しないと判定され、第１エリア判定部１２によって第１エリアに存在しないと判定され、動作モード設定部１４によって動作モードが通常モードに設定される。最後に、携帯端末１が位置Ａ３に移動する。以上のように、携帯端末１は、位置Ａ２にて動作モードが集中計測モードに設定されると、定期測定間隔より短い間隔（第１頻度よりも高頻度である第２頻度）で位置情報のみ取得する。そして、携帯端末１は、位置Ａ’２にて第２エリアに存在すると、情報収集が実施される。
【００４５】
続いて、図１０に示すフローチャートを用いて、第１実施形態に係る携帯端末１で実行される、通常モード時の処理（情報収集方法）について説明する。
【００４６】
まず、位置情報取得部１１により、位置情報が取得される（Ｓ１）。次に、第１エリア判定部１２により、測定希望候補エリア内に存在するか否かが判定される（Ｓ２、第１エリア判定ステップ）。Ｓ２にて、測定希望候補エリア内に存在すると判定された場合、動作モード設定部１４により、動作モードが集中計測モードに設定され（Ｓ３、動作モード設定ステップ）、測定希望候補エリア内に存在すると判定された場合、動作モード設定部１４により、動作モードが通常モードに設定される（Ｓ４、動作モード設定ステップ）。Ｓ３及びＳ４に続いて、情報収集部１６により、（定期的な）情報収集が実行される（Ｓ５）。なお、Ｓ５は実行されなくてもよい。
【００４７】
続いて、図１１に示すフローチャートを用いて、第１実施形態に係る携帯端末１で実行される、集中計測モード時の処理（情報収集方法）について説明する。
【００４８】
まず、位置情報取得部１１により、位置情報が取得される（Ｓ１０）。次に、第１エリア判定部１２により、測定希望候補エリア内に存在するか否かが判定される（Ｓ１１、第１エリア判定ステップ）。Ｓ１１にて、測定希望候補エリア内に存在すると判定された場合、第２エリア判定部１３により、測定希望エリア内に存在するか否かが判定される（Ｓ１２、第２エリア判定ステップ）。Ｓ１２にて、測定希望エリア内に存在すると判定された場合、情報収集部１６により、情報収集が実行される（Ｓ１３、情報収集ステップ）。Ｓ１２にて、測定希望エリア内に存在しないと判定された場合、及びＳ１３に続いて、動作モード継続判定部１５により、集中計測モードを継続するか否かが判定される（Ｓ１４）。Ｓ１４にて、集中計測モードを継続すると判定された場合、動作モードは集中計測モードのままで処理を終了する。Ｓ１１にて、測定希望候補エリア内に存在しないと判定された場合、及びＳ１４にて、集中計測モードを継続しないと判定された場合、動作モード設定部１４により、動作モードが通常モードに設定され（Ｓ１５）、処理を終了する。
【００４９】
続いて、図１２に示すフローチャートを用いて、第１実施形態に係る携帯端末１で実行される、集中計測モード時の別の処理（情報収集方法）について説明する。図１１で説明した処理との違いは、測定希望候補エリアの判定よりも測定希望エリアの判定を優先させる点である。
【００５０】
まず、位置情報取得部１１により、位置情報が取得される（Ｓ２０）。次に、第２エリア判定部１３により、測定希望エリア内に存在するか否かが判定される（Ｓ２１、第２エリア判定ステップ）。Ｓ２１にて、測定希望エリア内に存在すると判定された場合、情報収集部１６により、情報収集が実行される（Ｓ２２、情報収集ステップ）。Ｓ２２に続いて、動作モード継続判定部１５により、集中計測モードを継続するか否かが判定される（Ｓ２３）。Ｓ２３にて、集中計測モードを継続すると判定された場合、動作モードは集中計測モードのままで処理を終了する。Ｓ２１にて、測定希望エリア内に存在しないと判定された場合、第１エリア判定部１２により、測定希望候補エリア内に存在するか否かが判定される（Ｓ２４、第１エリア判定ステップ）。Ｓ２４にて、測定希望候補エリア内に存在すると判定された場合、Ｓ２３に進む。Ｓ２４にて、測定希望候補エリア内に存在しないと判定された場合、及びＳ２３にて、集中計測モードを継続しないと判定された場合、動作モード設定部１４により、動作モードが通常モードに設定され（Ｓ２５）、処理を終了する。
【００５１】
次に、本実施形態のように構成された携帯端末１の作用効果について説明する。
【００５２】
本実施形態の携帯端末１によれば、動作モード設定部１４により、第１エリア判定部１２によって携帯端末１が第１エリアに存在しないと判定された場合に動作モードが通常モードに設定される。そして位置情報取得部１１により、動作モードが通常モードに設定されている場合は第１頻度で携帯端末１の位置情報が取得される。一方、動作モード設定部１４により、第１エリア判定部１２によって携帯端末１が第１エリアに存在すると判定された場合に、動作モードが集中計測モードに設定される。そして位置情報取得部１１により、動作モードが集中計測モードに設定されている場合は第１頻度よりも高頻度である第２頻度で携帯端末１の位置情報が取得される。上記構成を採れば、携帯端末１は、携帯端末１が特定のエリア付近に存在する場合は、特定のエリア付近に存在しない場合に比べて高頻度で位置情報を取得するため、より早く、より確実に自端末が特定のエリアに存在するか否かを判定することができる。また、携帯端末１は、携帯端末１が特定のエリア付近に存在しない場合は、特定のエリア付近に存在する場合に比べて低頻度で位置情報を取得するため、特定のエリアから離れた場所に存在する等の場合は、位置情報の取得に伴う負荷を軽減することができる。
【００５３】
また、本実施形態の携帯端末１によれば、情報収集部１６により、第２エリア判定部１３によって携帯端末１が第２エリアに存在すると判定された場合に現在位置に基づく情報収集が行われる。このように、携帯端末１が特定のエリアに存在すると判定された場合に情報収集が行われるため、情報収集による負荷を軽減しつつ、特定のエリアにおいてより確実に情報収集を行うことができる。
【００５４】
また、本実施形態の携帯端末１において、動作モード設定部１４が、動作モード継続判定部１５によって集中計測モードを継続しないと判定された場合に、動作モードを通常モードに設定することで、集中計測モードに設定される期間を抑えることができるため、例えば、高頻度な位置情報の取得に伴う負荷を軽減することができる。
【００５５】
［第２実施形態］
図１３は、本発明の第２実施形態に係る携帯端末１Ａとサーバ２Ａとを含む情報収集システム３Ａの機能ブロック図である。第２実施形態は、第１実施形態に係る携帯端末１のエリア情報記憶部１０、第１エリア判定部１２、第２エリア判定部１３及び動作モード継続判定部１５がサーバ側に存在する実施形態である。図１３に示すとおり、携帯端末１Ａは、位置情報取得部１１Ａ（位置情報取得手段）、動作モード設定部１４Ａ（動作モード設定手段）、情報収集部１６Ａ（情報収集手段）、位置情報送信部２０Ａ（位置情報送信手段）及び指示情報受信部２３Ａ（指示情報受信手段）を含んで構成される。なお、位置情報取得部１１Ａ、動作モード設定部１４Ａ及び情報収集部１６Ａの機能は、それぞれ第１実施形態に係る携帯端末１の位置情報取得部１１、動作モード設定部１４及び情報収集部１６の機能と同様であり、以下では差分についてのみ説明する。
【００５６】
また、図１３に示すとおり、サーバ２Ａは、エリア情報記憶部１０Ａ（エリア情報記憶手段）、第１エリア判定部１２Ａ（第１エリア判定手段）、第２エリア判定部１３Ａ（第２エリア判定手段）、動作モード継続判定部１５Ａ（動作モード継続判定手段）、位置情報受信部２１Ａ（位置情報受信手段）及び指示情報送信部２２Ａ（指示情報送信手段）を含んで構成される。なお、エリア情報記憶部１０Ａ、第１エリア判定部１２Ａ、第２エリア判定部１３Ａ及び動作モード継続判定部１５Ａの機能は、それぞれ第１実施形態に係る携帯端末１のエリア情報記憶部１０、第１エリア判定部１２、第２エリア判定部１３及び動作モード継続判定部１５の機能と同様であり、以下では差分についてのみ説明する。
【００５７】
図１３に示す携帯端末１Ａの各機能ブロックの機能は、図２に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００５８】
また、図１３に示すサーバ２Ａの各機能ブロックの機能は、図３に示すＣＰＵ２００、ＲＡＭ２０１等のハードウェア上に所定のコンピュータソフトウェアを読み込ませることにより、ＣＰＵ２００の制御のもとで入出力装置２０３、通信モジュール２０４、及び補助記憶装置２０５を動作させるとともに、ＲＡＭ２０１におけるデータの読み出し及び書き込みを行うことで実現される。
【００５９】
以下、図１３に示す携帯端末１Ａ及びサーバ２Ａの各機能ブロックについて説明する。
【００６０】
携帯端末１Ａの位置情報取得部１１Ａは、取得した携帯端末１Ａの位置情報を位置情報送信部２０Ａに出力する。
【００６１】
携帯端末１Ａの位置情報送信部２０Ａは、位置情報取得部１１Ａによって取得された（位置情報取得部１１Ａにより出力された）位置情報を、ネットワーク等を介してサーバ２Ａに送信する。位置情報送信部２０Ａは、さらに、携帯端末１Ａが集中計測モードに前回設定された時刻や、集中計測モードに前回設定されてからの後述の携帯端末１Ａの情報収集部１６Ａによる情報収集の回数をサーバ２Ａに送信してもよい。
【００６２】
サーバ２Ａの位置情報受信部２１Ａは、携帯端末１Ａから位置情報を受信し、第１エリア判定部１２Ａ及び第２エリア判定部１３Ａに出力する。位置情報受信部２１Ａは、さらに、携帯端末１Ａから集中計測モードに前回設定された時刻や情報収集の回数を受信し、動作モード継続判定部１５Ａに出力してもよい。
【００６３】
サーバ２Ａの第１エリア判定部１２Ａは、位置情報受信部２１Ａによって受信された（位置情報受信部２１Ａにより出力された）位置情報とエリア情報記憶部１０Ａによって記憶された第１エリア情報とに基づいて、携帯端末１Ａが第１エリアに存在するか否かを判定し、判定結果を後述の指示情報送信部２２Ａに出力する。
【００６４】
サーバ２Ａの第２エリア判定部１３Ａは、位置情報受信部２１Ａによって受信された（位置情報受信部２１Ａにより出力された）位置情報とエリア情報記憶部１０Ａによって記憶された第２エリア情報とに基づいて、携帯端末１Ａが第２エリアに存在するか否かを判定し、判定結果を後述の指示情報送信部２２Ａに出力する。
【００６５】
サーバ２Ａの動作モード継続判定部１５Ａは、携帯端末１Ａの動作モードが集中計測モードに設定されている場合に、集中計測モードに設定されてからの経過時間と、集中計測モードに設定されてからの後述の携帯端末１Ａの情報収集部１６Ａによる情報収集の回数との何れか一つ以上に基づいて、集中計測モードを継続するか否かを判定し、判定結果を後述の指示情報送信部２２Ａに出力する。動作モード継続判定部１５Ａは、判定を行う際に、位置情報受信部２１Ａにより出力された、集中計測モードに前回設定された時刻や情報収集の回数を利用してもよい。
【００６６】
サーバ２Ａの指示情報送信部２２Ａは、指示情報を、ネットワーク等を介して携帯端末１Ａに送信する。具体的に、指示情報送信部２２Ａは、第１エリア判定部１２Ａによって携帯端末１Ａが第１エリアに存在すると判定された場合に、動作モードを集中計測モードに設定する指示情報を携帯端末１Ａに送信し、第１エリア判定部１２Ａによって携帯端末１Ａが第１エリアに存在しないと判定された場合に、動作モードを通常モードに設定する指示情報を携帯端末１Ａに送信する。また、指示情報送信部２２Ａは、第２エリア判定部１３Ａによって携帯端末１Ａが第２エリアに存在すると判定された場合に、現在位置に基づく情報収集を行う指示情報を携帯端末１Ａに送信する。
【００６７】
携帯端末１Ａの指示情報受信部２３Ａは、サーバ２Ａから指示情報を受信し、動作モード設定部１４Ａ及び情報収集部１６Ａに出力する。
【００６８】
携帯端末１Ａの動作モード設定部１４Ａは、指示情報受信部２３Ａによって動作モードの設定に関する指示情報が受信された（指示情報受信部２３Ａから動作モードの設定に関する指示情報が入力された）場合に、当該指示情報に基づいて動作モードを設定する。
【００６９】
携帯端末１Ａの情報収集部１６Ａは、指示情報受信部２３Ａによって情報収集に関する指示情報が受信された（指示情報受信部２３Ａから情報収集に関する指示情報が入力された）場合に、当該指示情報に基づいて動作モードを設定する。
【００７０】
続いて、図１４に示すシーケンス図を用いて、第２実施形態に係る情報収集システムで実行される処理（情報収集方法）について説明する。
【００７１】
まず、携帯端末１Ａの位置情報取得部１１Ａにより、位置情報が取得される（Ｓ３０）。次に、携帯端末１Ａの位置情報送信部２０Ａにより、位置情報がサーバ２Ａに送信される（Ｓ３１、位置情報送信ステップ）。次に、サーバ２Ａの位置情報受信部２１Ａにより、位置情報が受信される（Ｓ３２、位置情報受信ステップ）。次に、サーバ２Ａの第１エリア判定部１２Ａ又は第２エリア判定部１３Ａにより、測定希望候補エリア又は測定希望エリアの判定が行われる（Ｓ３３、第１エリア判定ステップ、第２エリア判定ステップ）。次に、サーバ２Ａの指示情報送信部２２Ａにより、指示情報が携帯端末１Ａに送信される（Ｓ３４、指示情報送信ステップ）。
【００７２】
次に、携帯端末１Ａの指示情報受信部２３Ａにより、指示情報が受信される（Ｓ３５、指示情報受信ステップ）。次に、携帯端末１Ａの動作モード設定部１４Ａ又は情報収集部１６Ａにより、指示情報に基づいた処理が実行される（Ｓ３６、動作モード設定ステップ、情報収集ステップ）。
【００７３】
次に、本実施形態のように構成された情報収集システム３Ａの作用効果について説明する。
【００７４】
本実施形態の情報収集システム３Ａによれば、携帯端末１Ａの動作モード設定部１４Ａにより、サーバ２Ａの第１エリア判定部１２Ａによって携帯端末１Ａが第１エリアに存在しないと判定された場合に動作モードが通常モードに設定される。そして携帯端末１Ａの位置情報取得部１１Ａにより、動作モードが通常モードに設定されている場合は第１頻度で携帯端末１Ａの位置情報が取得される。一方、携帯端末１Ａの動作モード設定部１４Ａにより、サーバ２Ａの第１エリア判定部１２Ａによって携帯端末１Ａが第１エリアに存在すると判定された場合に、動作モードが集中計測モードに設定される。そして携帯端末１Ａの位置情報取得部１１Ａにより、動作モードが集中計測モードに設定されている場合は第１頻度よりも高頻度である第２頻度で携帯端末１Ａの位置情報が取得される。上記構成を採れば、携帯端末１Ａは、携帯端末１Ａが特定のエリア付近に存在する場合は、特定のエリア付近に存在しない場合に比べて高頻度で位置情報を取得するため、より早く、より確実に携帯端末１Ａが特定のエリアに存在するか否かを判定することができる。また、携帯端末１Ａは、携帯端末１Ａが特定のエリア付近に存在しない場合は、特定のエリア付近に存在する場合に比べて低頻度で位置情報を取得するため、特定のエリアから離れた場所に存在する等の場合は、位置情報の取得に伴う負荷を軽減することができる。
【００７５】
また、本実施形態の情報収集システム３Ａによれば、携帯端末１Ａの情報収集部１６Ａにより、サーバ２Ａの第２エリア判定部１３Ａによって携帯端末１Ａが第２エリアに存在すると判定された場合に現在位置に基づく情報収集が行われる。このように、携帯端末１Ａが特定のエリアに存在すると判定された場合に情報収集が行われるため、情報収集による負荷を軽減しつつ、特定のエリアにおいてより確実に情報収集を行うことができる。
【００７６】
また、本実施形態の情報収集システム３Ａによれば、エリア情報記憶部１０Ａはサーバ２Ａ側に備えられるため、携帯端末１Ａの空きメモリ量をより増える。また、第１エリア判定部１２Ａ及び第２エリア判定部１３Ａはサーバ２Ａ側に備えられるため、携帯端末１Ａにおける処理に伴う負荷を軽減することができる。
【００７７】
また、本実施形態の情報収集システム３Ａにおいて、サーバ２Ａの指示情報送信部２２Ａは、動作モード継続判定部１５Ａによって携帯端末１Ａの集中計測モードを継続しないと判定された場合に、動作モードを通常モードに設定する旨の指示情報を携帯端末１Ａに送信することで、携帯端末１Ａが集中計測モードに設定される期間を抑えることができるため、例えば、携帯端末１Ａの高頻度な位置情報の取得に伴う負荷を軽減することができる。
【符号の説明】
【００７８】
１・１Ａ…携帯端末、２・２Ａ…サーバ、３・３Ａ…情報収集システム、１０・１０Ａ…エリア情報記憶部、１１・１１Ａ…位置情報取得部、１２・１２Ａ…第１エリア判定部、１３・１３Ａ…第２エリア判定部、１４・１４Ａ…動作モード設定部、１５・１５Ａ…動作モード継続判定部、１６・１６Ａ…情報収集部、２０Ａ…位置情報送信部、２１Ａ…位置情報受信部、２２Ａ…指示情報送信部、２３Ａ…指示情報受信部。
【図１】
2015097327.tif 000003
【図２】
2015097327.tif 000004
【図３】
2015097327.tif 000005
【図４】
2015097327.tif 000006
【図５】
2015097327.tif 000007
【図６】
2015097327.tif 000008
【図７】
2015097327.tif 000009
【図８】
2015097327.tif 000010
【図９】
2015097327.tif 000011
【図１０】
2015097327.tif 000012
【図１１】
2015097327.tif 000013
【図１２】
2015097327.tif 000014
【図１３】
2015097327.tif 000015
【図１４】
2015097327.tif 000016